(57)【要約】【課題】企業等では、機密保持確保のために、重要個所に入退場する際の身分証明として、暗証番号又は磁気カード、光カード類を使用することで対応してきたが、第三者による悪用、暗証番号の紛失、カードの盗難紛失等の事故が多かった。【解決手段】バイオメトリクス技術を利用して、本人認証をおこなう。顔、容貌の特徴抽出と本人のＤＮＡパターンを符号化、暗号化してＩＤカードのマイクロチップに記憶する。企業等の法人、団体においては、本社機構で一元管理をおこなうことも可能である。本社のサーバに個人情報を登録して、重要個所への入退場のチェックをおこなって、本人の特徴、ＩＤカードの情報、登録データを比較照合して判定する。海外にある事業所を含めて国際回線を使って集中管理出来るから、人の移動に対応できる。ＩＤカードは、所定期間使用しない場合は、内部のマイクロチップによってデータの破壊と消滅を自動的におこなう。【選択図】　　　　図１
2004086822.tif 000002
【特許請求の範囲】
【請求項１】
機密保持を目的とした本人の認証を必要とするシステムであって、容貌、顔から特徴抽出を行う手段、企業構成員、クライアントのＤＮＡ情報を登録する手段、及び該情報をデータベースに記憶、登録する手段、前記個人のバイオメトリクス情報をカードに記憶する手段。
このカードを所持している企業構成員、クライアント等は、本人自身の認証とカードによる認証と、登録してある情報を比較照合して重要個所への入退場、決済等を安全に行うことを特徴とする本人認証付カードシステム。
【請求項２】
請求項記載１に記載のカードは、マイクロチップとアンテナを搭載してマイクロチップに本人の情報を記憶する手段、
該カードに本人の容貌、顔の特徴を外観上少なくとも美的効果をもった写真に仕上げてカード上に印刷、複製する手段と、
及び本人の特徴を示す部位とＤＮＡ情報を採集した部位にＤＮＡ情報を記憶する手段を備えたことを特徴とする本人認証付カードシステム。
【請求項３】
前記システムは、情報通信網を使って国内、国際間で適用できる手段と、企業の本社等にて一元管理する手段を備えたことを特徴とする本人認証付カードシステム。
【発明の詳細な説明】
【０００１】
【発明の属する技術分野】
本発明は、本人認証を安全確実に行うシステムに係わり、特に忘れやすいパスワードを使用しないで企業機密の保持を目的にした重要個所への入退場の管理、ＩＴ時代のｅコマースの決済を迅速に、確実におこなうことが要求される。ＩＴの進展に伴って、なりすまし、改ざん、不正侵入が後を絶たない。
【０００２】
例えば銀行カードは、カードとパスワードさえあれば、だれでも預金口座から現金を引き出したり、決済をすることができるため、カードとパスワードの紛失や盗難に気をつかわなければならない。カードをきちんと管理している場合でも、パスワードを忘れたために機能しないという例も多い。高齢化社会を迎えて、暗証番号の管理が困難になり、暗証番号を忘れないようにと家の電話番号や誕生日等を暗証番号に使用する例も多いから、事故も多発する。こうした事故を防ぎ、手っ取り早く本人認証を安全に行う方法として、本人自身の特徴、つまりバイオメトリクスを認識させる方法がある。本発明は、瞬時に認識できパスワードの必要ない、バイオメトリクスを使ったカードシステムを提供する。
【０００３】
【従来の技術】
例えば、入退場のセキュリテイチェックは、従来は、社員証を兼ねたカードでおこなわれていたが、多くは磁気コーテングか光カードによるもので、コピーされやすかった。バイオメトリクス技術を用いた指紋認証が普及してきたが、１００％の認識率は難しく容易に使えなかった。パスワードによる認証の方式は、暗証番号を忘れ易い、間違い易い、第三者によって悪用され易い、という欠点があった。
【０００４】
【発明が解決しようとする課題】
このためユーザは、銀行カードの使用はもとより企業への入退場の社員証の管理に気をくばらなければならなかった。ユーザにとっては、できれば入退場のＩＤカードによる認証ではなく、自分自身による認証のほうが使い勝手はよい。守衛、ガードマンを多数配置して、ユーザ全員の特徴を認識していて出入り口でチェックするのが一番よい。しかし、それは不可能であるから、これに近づける方法が要求される。
【０００５】
【課題を解決するための手段】
上記目的を達成するため、請求項１の発明は、本人認証に関してバイオメトリクス技術を応用する。本人の顔、容貌の特徴とＤＮＡパターンを抽出して符号化してデータベースに登録記憶する。身分証明書、社員証のカードにマイクロチップを搭載しておき、これらの情報を記憶する。
【０００６】
重要個所への入退場、決済には、その場で本人を確認してカード情報、データベース上の登録情報を比較照合して瞬時におこなう。
【０００７】
また、請求項２の発明は、身分証明書、社員証に記載する本人の顔、容貌の写真は修正加工して実際より美化して仕上げる。喜んで周囲の人たちに見せられるから本人は大切にして、進んで所持するから忘れたり、紛失することは少なくなる。本人のＤＮＡ情報は、採集した人体の部位にあたる顔、容貌の写真にＤＮＡパターンを示す符号を暗号化して格納する。ＤＮＡのような高度な情報がはいっているため、所定期間カードが使用されない場合、内部の情報はマイクロチップの機能によって破壊、消滅される。
【０００８】
請求項３の発明は、グローバル化していく企業にとって海外も含めて高速通信情報網を使用することによって、一元管理できる。海外の事業所との人の往来は、年々多くなってきた。従業員、クライアントの職種に応じた対応が可能になる。
【０００９】
【発明の実施形態】
【００１０】
以下、本発明の実施形態を図１から図８に基づいて説明する。バイオメトリクス技術を本人認証や本人識別に活用する場合、人体の様々な部位、行動が活用される。本人認証、識別には従来のパスワードや免許証の利用より認証精度は、格段に向上する。
【００１１】
人間の生体的特徴を活用するものとしては、指紋をはじめ、網膜や虹彩、顔、静脈パターン、ＤＮＡ等があり、声紋や署名、キーストロークなどの行動上の特徴を利用するものもある。それぞれの技術が固有の特徴を持っていて、応用分野によって選択される。
【００１２】
一般的にセキュリテイの観点から、指紋、網膜、虹彩を利用したものは、認証精度は高い。バイオメトリクスの分野では、認証精度を比較すると２つの指標がある。他人受容率（ＦＡＲ：Ｆａｌｓｅ　Ａｃｃｅｐｔａｎｃｅ　Ｒａｔｅ）と本人排斥率（ＦＲＲ：Ｆａｌｓｅ　Ｒｅｊｅｃｔｉｏｎ　Ｒａｔｅ）である。前者のＦＡＲは、本人でもないのに受け入れてしまうエラー率であって、後者のＦＲＲ本人でもあるのに排斥してしまうエラー率である。
【００１３】
この２つの指標は相関性をもっており、他人受容率、ＦＡＲを低くすると本人排斥率が高くなって、逆に本人排斥率、ＦＲＲを低くすると他人受容率が高くなる傾向にある。
【００１４】
ネットワーク社会の進展とｅコマースのように現金の決済時には、なりすまし、改ざんという悪質な行為への対抗手段としては、パスワードのように本人しか知らない情報だけとか、カードやワン・タイムパスワードのように本人しか持っていない物で認証をおこなう方法では、限界がある。
【００１５】
そこでバイオメトリクス技術を利用して、本人の生体的特徴、行動上の特徴から認証をおこなう事に注目した。認証に利用される媒体は基本的に常時本人の管理下にあるので、認証に使われる媒体を持っているというだけで本人認証がおこなえる。
【００１６】
ユーザはパスワードの記憶やカードの所持から開放されるから、ユーザの負担が低減化される。一方、バイオメトリクス技術を導入するにあたり、照合に利用するマスタ情報（テンプレート）の保管と照合作業をどこで行うか、という問題がある。
【００１７】
テンプレート情報の保管場所としては、ＩＣカードなどのトークン内に保持するケース、ネットワーク上のサーバに保管する、クライアントのパソコン（ＰＣ）内、あるいは公的、民間団体、法人等がウエブ上にサイトを設けて保管して照合作業、メンテナンスを行って、これを事業化することも可能である。
【００１８】
特に近年では、悪質な行為の手口が年々巧みになってきて、企業、公的機関のデータベースに侵入してデータの破壊を行うようなサイバーテロに発展する場合が多い。
従って、企業、企業間、企業の研究開発部門におけるセキュリテイの強化、金融機関、政府機関をはじめ地方自治体の安全確保が急務である。ネットワークに接続された機器のセキュリテイレベルの向上は、年々大きな課題となってきた。
【００１９】
さらに、ドアをはじめとする物理的な入退室管理のセキュリテイの重要性である。バイオメトリクス認証では、ドア鍵の開閉をするだけで個人の特定ができるため、タイムカードの打刻の手間が省けて出退勤の記録も可能になる。
【００２０】
次にセキュリテイの確保に重要なのは、携帯電話機、携帯情報機器（ＰＤＡ）モバイルＰＣ等の安全確保、本人認証である。携帯多機能端末機に進化した携帯電話機は、今や家を出るとき携帯電話機さえ忘れなければ社会活動はできる時代にまでなった。これらの携帯機器は、据え置き型のＰＣに比較して安全確保と本人認証の重要性は増加した。現金の決済を携帯情報端末機より行う例が年々急増しているからに他ならない。
【００２１】
一般家庭においても年々悪質化している、空き巣のピッキング対策が急務となってきた。我が国の国際化が急激にやってきたために、警察に全面的に頼ることが不可能になってきたからである。
【００２２】
セキュリテイを完璧にするにはＤＮＡによる認証が有効である。遺伝子を対象にした解析は、サンプルとなる遺伝子に抽出、遺伝子の増幅、解析データの分析・統計的処理の手順を要する。特に、解析に関してはＤＮＡマイクロアレイ技術が必要である。
【００２３】
ＤＮＡマイクロアレイは、スライドガラスなどの基板上にＤＮＡ断片を固定化した上で、ＤＮＡが相補的な結合により２本鎖になる性質を利用して（ハイブリダイゼーション）解析をおこなう。遺伝子を解析しようとする場合、対象となる血液や細胞からＤＮＡを抽出する。そして、マイクロアレイ上で反応させれば目的とする解析ができる。
【００２４】
ＤＮＡマイクロアレイとは、特殊な表面処理をしたスライドガラスなどの基板上に、多数の異なる塩基配列をもったＤＮＡ断片（１本鎖、この断片をプローブと呼ぶ）を固定したものである。スライドガラスの他にナイロン、ニトロセルロースなどのメンブレン、シリコンも用いられる。ＤＮＡマイクロアレイは、ＤＮＡチップとも呼ばれる。
【００２５】
ＤＮＡマイクロアレイ上には、ｃＤＮＡ（Ｃｏｍｐｌｅｍｅｎｔａｒｙ　ＤＮＡ，相補的　ＤＮＡ）を固定しておく。細胞からｃＤＮＡを合成するとともに、標識化を複数の蛍光色素でおこなうＤＮＡマイクロアレイは、数値化されて本人の特定を確実にする。
【００２６】
本発明は、バイオメトリクスを利用した入退場、勤務の管理と決済にこれらの本人認証情報を格納したカードと本人そのものによっておこなう。重要な部屋への入退場、現金等のビジネス上の決済にはカード情報を読み取って、本人そのものの認証をおこなう。
【００２７】
図１は本発明によるシステム構成を示した全体図である。図１においては、国際的に活動する企業と社員が本発明によるバイオメトリクス情報を格納したカードと本人認証を併用して、安全の確度を向上させたシステムを提供する。
【００２８】
図１のシステムは、国際通信情報網、衛星通信網、携帯無線網、専用線を駆使して企業のグローバル化に対応したセキュリテイに関するものであって、社員の自宅の安全管理もおこなう。
【００２９】
１０１は、通信情報網でインターネットを含むネットワークである。１０５は、携帯無線会社の基地局で１０６はネットワーク１０１へ接続する専用線、１０２は、通信情報網上の携帯無線会社のウエブサイト、１０４は国際通信情報網のウエブサイトで１０８は、国際通信回線を示す。
【００３０】
１０３は、企業の本人認証のウエブサイトで１０７は、企業の専用線を示す。もちろん、普通の公衆網を使用してもよい。本例では国際通信回線１０８、衛星通信網１１８、通信情報網１０１を有機的に接続して企業の国際間のセキュリテイの確保を行うものである。
【００３１】
１０９は企業の本社事務所、１１０は地方の営業所、１１１は倉庫、１１２は工場を示す。１１３は企業の海外事業所を示す。本例では、一ヶ所であるが当然、複数ヶ所、全世界にある場合はその数だけ１１３は、存在する。
【００３２】
１１５は、部屋ごとに設置してあるバイオメトリクスを利用した“鍵”であって、社員の所持するカードと本人認証のために、顔を１１５のモニターカメラに写す。カードには本人の顔の特徴、ＤＮＡが記憶されている。照合用のサーバは、本社であれば１０９、営業所であれば１１０にそれぞれ設置してもよいが、企業が国際化していくと海外から多様な人が出入りする。
【００３３】
職種もまちまちであって、対応するのに人手を要する。従って、本発明では１０３の企業のサイトにて一括管理する。このようにすれば、米国からセキュリテイの高い研究開発者が本社の研究棟に訪れても、関係部署の研究室の出入りは自由で、受け入れ側である本社の人手もかからない。
【００３４】
入退室用の、個人が所有するカードはそのまま企業の社員証になる。１１４は社用車であって、１１５のドアロックがあって、この車を使える社員はカードと顔の特徴を検出してドアは、解除される。
【００３５】
図１の１１６のクライアントと家庭のドア１１７を一点鎖線で囲われた部分は、社員の家庭を示す。１１６は社員又は、クライアントで１１７は家庭のドアである。ドア１１７には本人認証検出装置１１５が設置されている。家族は同様に１１７の入退室をカードと本人認証の顔を認識しておこなう。
この場合、カードは省略して本人認証の顔の特徴、あるいは他の特徴声紋、眼の虹彩と併用して、家族にとっては面倒なカードは所有しないで１０３のサイトで照合の管理をおこなうことも可能である。
【００３６】
図１の例では、企業の本人認証管理について説明したが、ドア１１７で示した家庭では勤務先のセキュリテイ・システムを使用してもよいが、１０３を警備専門の会社と設定して、家庭の安全管理を委託してもよい。企業も自らの管理を警備会社に委託すれば、経費は安く済む。近年、地域社会ごとにこのような警備会社に家の防犯管理を委託するケースが増加している。
【００３７】
ドア１１７の家庭は、一般の電話回線又は、公衆無線網１０５を使用する。１１９は公衆無線電波と、衛星網の電波を示す。衛星網１１８は、地上にゲートウエイ（地上基地局）があって、情報通信網１０１に接続している。
【００３８】
図２は１１５の内部ブロック構成を示す。１１５は外部からの侵入者、入退室者のチェックを行う、いわば鍵の受け口のブロックである。図２において２０４は鍵のブロックのシステムバスであって、このバスは建物、ビルの部屋間を接続してあって照合、認証を行うサーバに通信線を介して結合している。
【００３９】
２０１は電磁波、誘導波を示す。バイオメトリクス情報を格納したカードを接触させると、カードの中に印刷されてあるＣＰＵは２０１の電磁波によってアクティブになる。２０２は１１５にあるアンテナでカードの情報を２０３の送受信部に取り込む。２０１の電磁波、誘導波は極めて微弱で数１０ｃｍ有効である。
【００４０】
２０５はＣＰＵで１１５の制御を行う。２０６はデータメモリ、ＲＡＭである。２０９のモニタ・カメラ等で入力した外来者の容貌を取り込む。２０７はプログラムメモリのＲＯＭ、２０８は電源を示す。
【００４１】
２０９は入力部でモニタ・カメラ、マイクロフォンによる音声入力、指紋入力の他、バイオメトリクスによる特徴、行動パターンの入力装置を示す。２１０は本システムにて応用する人の顔の特徴抽出を行うプログラム・アルゴリズムを格納した領域である。
【００４２】
２１１はＤＮＡパターンを格納した領域で、２１２は登録されている個人情報、生年月日、出身地、出身校、転職歴、所属、専門職種等が格納された領域である。２１１のＤＮＡパターン、２１２の個人情報は１１５の個々に格納しないでセンターサーバ、ウエブ・サイトのサーバ、ＰＣ等に一括して格納する。しかし小規模なシステムや家庭、金庫、重要な場所に個別に管理する場合は、１１５にデータの照合、認証機能を持たせる。
【００４３】
図３、（ａ）は企業の社員が携帯する社員証を兼ねたＩＤカードである。普通、企業、団体、法人、政府機関の構成員は身分証明書と同様に所持して、重要な部屋、場所への入退場に使う。３０１はカードを示す。３０２は本人の顔写真であって、後述するように、実際より綺麗に修正加工して印刷する。
【００４４】
女性であれば自分の好みのアイドル、タレントと似せて写真にしたり男性も同様であるが、尊敬する人物像に似せることもできる。３０３は本人認証のＤＮＡパターンを自分の写真の中に印刷してある。なりすまし、改ざん等の悪用を防止できる。
【００４５】
本人にとってＤＮＡ情報は、最高機密である。従って、事故を未然に防ぐために所定期間、半年とか一年間使わなかった場合、内部のマイクロチップによって、データの破壊と消滅をおこなう。カードの写真は、年月が経つと変わって行くから安全上からも適宜、データと写真の更新をおこなう。
【００４６】
３０５はアンテナであって、３０４は例えばμチップ（日立製作所の商品名）を使用すれば、数百μのなかにＣＰＵ、メモリをカード上に印刷できる。３０２の本人認証に必要なバイオメトリクスのデータを格納でき必要に応じて、本人と比較照合できる。本カードは、鍵の受容部（キーブロック）図３（ｂ）、３０７から電磁波に触発されて３０４のマイクロチップが駆動状態になる。金融等の決済、現金の引き出しに使う場合は、この様な微弱電磁波に３０４は反応しないで、接触によって反応する構造になっている。
【００４７】
図３（ｂ）は、鍵の受容部の外観を示す。１１５は鍵の本体で３０６はモニターカメラのレンズ、３０７はＩＤカード３０１の接触部である。３０７から前述したように、電磁波が発信していてカードのマイクロチップは、これに触発されてアクティブ、活動状態になる。１１５は小型であるからドアのあるいは、ドアの片側の隅に設置できる。
【００４８】
図４は本人認証の情報をデータベースに入力する手順を示した模式図である。４０１は撮影用デジタルカメラであって、本人４０５の顔、容貌、体形から細部の観察が可能な精細度を必要とする。４０２は撮影して入力した顔、容貌から特徴の抽出をおこなう。顔の骨格、眼、鼻、口、眉毛、髪の毛、顔、首の静脈のパターン等の特徴の抽出を行うプログラムである。
【００４９】
４０３はデータの流出、漏洩を防ぐために暗号化をおこなって４０４のデータベースに格納される。この過程で４０５の要望に応じて実際の写真より美しく仕上げるプログラムが入っていて、４０２の特徴抽出と伴に加工と修正がおこなわれる。本人の納得のいく顔、容貌に仕上げることができる。
【００５０】
本人認証用ＤＮＡパターンの抽出は、企業の定期健康診断の血液検査時に行ってもよいし、医療機関にて検査してデータベースに入力する。その場合、ＤＮＡの特徴を明確にするために、採集した血液の部位、額、耳等を特定しておく。ＩＤカードのマイクロチップにデータを格納するのと、改ざん、なりすまし等の悪用を防ぐために、ＩＤカードの本人の写真上に採集した部位、耳たぶとか、額、頬にパターンを記憶しておく。
【００５１】
図５は本人認証とＩＤカードを併用して重要な部屋の入退場する模式図を示した。入場しようとする４０５の人は、ＩＤカード３０１を図示してない鍵受容器１１５に近づける。１１５は電磁波を出していてカードの内容をよみとる。より重要な部屋、場所、金庫、資料等の格納庫は１１５から電磁波、誘導波の発信を禁止する。
【００５２】
３０１のカードを１１５に付けた図示してないスロットに直接差し込んで、接触させてデータの読み込みを行う。電磁波は例え距離は短くとも他人に、データを盗まれる危険性があるから、事故を未然に防止するためには、厳重に管理の必要のある場所は、前述した接触方式を採用する。
【００５３】
ＩＤカードを接触させている間に、５０１のモニターカメラは入退場者の顔、容貌を撮影して、５０２で特徴抽出をおこなう。５０３ではサイト、センターのサーバにあるデータベース５０６から登録データを通信網１０１を介して、５０４にて暗号をデコードして５０３にて照合をおこなう。
【００５４】
５０１と３０１にて入力した情報とデータベース５０６に登録してあるデータが一致していれば、５０５の鍵の施錠は解除される。なお、５０２、５０３は鍵受容器１１５に設置しないで、センター、サイトのサーバにて、この作業をおこなってもシステム上問題はない。
【００５５】
図６は図４の本人認証用に特徴抽出のための模式図をフロー図で示したものである。Ｓ６０１は本人の顔、容貌の撮影をおこなう。Ｓ６０２は本人の容貌を全周囲から撮影する。行動の特徴を抽出するには、決まった場所で撮影するのでなく歩行しているところ、仕事をしている場面を監視カメラで捕らえた映像を利用するのも一つの方法である。この方がありのままの姿が見られて、特徴の抽出が上手くできるという利点がある。
【００５６】
Ｓ６０３ではモニターカメラから撮影した顔、容貌から特徴の抽出をおこなう。Ｓ６０４では撮影した顔、容貌を好みに応じて、より美男、美女に整形加工する。Ｓ６０５ではＩＤカード上に写真と別に採集した血液より検出した、ＤＮＡパターンを符号化してカード上のマイクロチップと採集した部位の写真の中に暗号化して印刷する。
【００５７】
Ｓ６０６では、本人認証用の登録データとしてより詳細な特徴、情報をデータベースに登録しておく。なお、このデータベースから取り出した情報は暗号化されて通信網上に送られる。
【００５８】
図７は本人認証用のＤＮＡパターンの採集と登録の過程を示したフロー図である。Ｓ７０１は人の赤血球を血液から採集する。この際、採集した人の部位を特定しておく。顔の頬、唇、耳とか手の甲、指といった具合にサンプルの場所を明確にして登録しておく。
【００５９】
Ｓ７０２にて、先に説明したように基板上にパターンを配列する。Ｓ７０３はＤＮＡのパターンを検出して、Ｓ７０４では数値化、符号化をおこなう。Ｓ７０５においては、第三者に漏洩しないように暗号化をおこなう。Ｓ７０６ではセンター、ウエブサイトのデータベースに登録する。
【００６０】
Ｓ７０７では、個人が所持するＩＤカードにＤＮＡを暗号化して記録する。先に説明したように血液を採集した人体の部位にＤＮＡの符号を印刷し、さらにカード上のマイクロチップにも格納する。
【００６１】
図８は図５における人が重要な場所、部屋に入退場する際の手順の模式をフロー図で示したものである。図８において、Ｓ８０１は人の顔、容貌の特徴をモニターカメラ、ＩＤカードから読み取って、データベースの登録データと比較照合する。
【００６２】
Ｓ８０２では一致していれば、Ｓ８０３にてＤＮＡの詳細な鑑定をおこなう。Ｓ８０４で一致していればＳ８０５にて本人認証が確認されたので、Ｓ８０６にて鍵のロックを解除する。ＤＮＡ鑑定、本人の特徴抽出と登録データとの比較、照合作業は、一瞬に行うから人を待たせるということはない。
【００６３】
仮にカードを紛失したり、盗難にあったりしても、重要な場所の入退場時に本人をチェックするから、悪用されたり、なりすましにあったりするような危険はない。又、仮にＤＮＡを第三者に知られても、前述したように本人の確認をおこなうから悪用はされない。この場合、人体の他の部位から血液を採集してデータを置き換えたほうが安全といえる。
【００６４】
全世界にネットワークを張り巡らせば、パスポートにも応用できる。パスポートの偽造による犯罪は、後を絶たない。ＩＰＶ６とユビキタスの実現によってこれらは、一挙に解決する。
【００６５】
【発明の効果】
本発明は、以上のように構成され機能するので、これによると本人が所持するＩＤカードはパスワードのような忘れやすい暗証番号は使わないで、本人の特徴をバイオメトリクスを利用して抽出する。その場所で本人の特徴を瞬時に抽出してかつ、ＩＤカード上の情報と、センター、サイトに登録してあるデータを照合して本人の認証をおこなう。
【００６６】
本人の特徴とＩＤカード上の情報、それにセンター、ウエブサイト上の登録データの三重のガードをかけるから、セキュリテイは万全である。ＤＮＡ情報は暗号化されてＩＤカードの本人の顔、容貌の写真に、採集した部位上に記憶しておく。
【００６７】
本人が所持するＩＤカードは、そのまま社員証や身分証明書として使用でき、かつ、顔、容貌を本人であることをわかるように、綺麗に好みのアイドル、タレントに似せて加工修正してあるから格好がよく、自分のキャラクターを生かしてマスコットがわりになって、持ち歩けるという特徴がある。
【図面の簡単な説明】
【図１】実施形態の全体構成を示すシステム構成図
【図２】鍵の受容器の内部構成を示すブロック構成図
【図３】ＩＤカードと鍵受容器の外観図
【図４】人体のバイオメトリクスによる特徴抽出を示すブロック図
【図５】バイオメトリクスによる本人認証を示すブロック図
【図６】人体のバイオメトリクスによる特徴抽出の過程を示すフロー図
【図７】ＤＮＡパターンの検出と符号化の過程を示すフロー図
【図８】バイオメトリクスの特徴を用いて本人認証の過程を示すフロー図
【符号の簡単な説明】
１０１　　　　　　情報通信網
１０２　　　　　　携帯無線会社ウエブサイト
１０３　　　　　　企業のウエブサイト
１０４　　　　　　国際通信会社ウエブサイト
１０５　　　　　　携帯無線会社基地局
１０６　　　　　　携帯無線会社専用回線
１０７　　　　　　通信回線
１０８　　　　　　国際情報通信網
１０９　　　　　　本社事業所
１１０　　　　　　営業所
１１１　　　　　　倉庫
１１２　　　　　　工場
１１３　　　　　　海外事業所
１１４　　　　　　自動車、社用車
１１５　　　　　　鍵受容器（キーブロック）
１１６、４０５　　人、クライアント
１１７　　　　　　家のドア
１１８　　　　　　衛星通信網
１１９　　　　　　無線電波、衛星電波
２０１　　　　　　電磁波、誘導波
２０２　　　　　　アンテナ
２０３　　　　　　電磁波送受信部
２０４　　　　　　鍵受容器（キーブロック）のシステムバス
２０５　　　　　　中央演算部、ＣＰＵ
２０６　　　　　　データメモリ、ＲＡＭ
２０７　　　　　　プログラムメモリ、ＲＯＭ
２０８　　　　　　電源部
２０９　　　　　　入力部、モニターカメラ等
２１０、４０２　　特徴抽出部
２１１　　　　　　ＤＮＡパターン・データメモリ
２１２　　　　　　個人情報格納部
３０１　　　　　　ＩＤカード
３０２　　　　　　顔の写真
３０３　　　　　　ＤＮＡパターン印刷部位
３０４　　　　　　マイクロチップ
３０５　　　　　　印刷アンテナ
３０６、５０１　　モニターカメラ
３０７　　　　　　ＩＤカード・タッチ部
４０１　　　　　　撮影用カメラ
４０３　　　　　　暗号化部
４０４、５０６　　データベース
５０２　　　　　　特徴抽出検出部
５０３　　　　　　照合部
５０４　　　　　　暗号デコード
５０５　　　　　　キーロック解除部
【図１】
2004086822.tif 000003
【図２】
2004086822.tif 000004
【図３】
2004086822.tif 000005
【図４】
2004086822.tif 000006
【図５】
2004086822.tif 000007
【図６】
2004086822.tif 000008
【図７】
2004086822.tif 000009
【図８】
2004086822.tif 000010